(57)【要約】      （修正有）【課題】連結板部の厚みを増すことなく、背板部の厚みだけを増して背板部の常時強度向上を実現できると共に、良好な施工性と金具精度を実現できる木材接続金具を提供する。【解決手段】木材接続金具Ａは、一対の金具半体４から成り、金具半体４は、金属板が折曲されて背板部５と連結板部６とが連設する断面Ｌ字状に形成され、夫々の金具半体４の背板部５に、建築用木材に設けられたボルト挿通孔に貫通させる連結ボルトが挿通するボルト孔９が設けられ、ボルト孔９同士を合致させて一対の金具半体４の背板部５同士を重合固定する背板接合部１０がボルト孔９の孔縁部に設けられている。【選択図】図３
0003214818.tif 000002
【実用新案登録請求の範囲】
【請求項１】
建築用木材と、端部に仕口部が設けられた連結用木材とを直角若しくは傾斜状態に接続する木材接続金具であって、一対の金具半体から成り、この金具半体は、金属板が折曲されて背板部と連結板部とが連設する断面Ｌ字状に形成されていると共に、夫々の金具半体の背板部に、前記建築用木材に設けられたボルト挿通孔に貫通させる連結ボルトが挿通するボルト孔が設けられ、このボルト孔同士を少なくとも一箇所合致させて前記一対の金具半体の前記背板部同士を重合固定する背板接合部が前記ボルト孔の孔縁部に設けられていて、この重合固定状態の背板部から一対の前記連結板部が互いに対向し、突設する断面コ字状体に構成されていることを特徴とする木材接続金具。
【請求項２】
前記背板接合部は、一方の前記金具半体のボルト孔の孔縁部に設けられた止着部が、前記ボルト孔と合致する他方の前記金具半体のボルト孔に止着されることで双方のボルト孔の孔縁部同士が接合されて一対の金具半体の背板部同士が重合固定されていることを特徴とする請求項１記載の木材接続金具。
【請求項３】
前記背板接合部は、一方の前記金具半体のボルト孔の孔縁部に突設された止着部が、前記ボルト孔と合致する他方の前記金具半体のボルト孔に挿入されて止着されることで双方のボルト孔の孔縁部同士が接合されて一対の金具半体の背板部同士が重合固定されていることを特徴とする請求項１，２のいずれか１項に記載の木材接続金具。
【請求項４】
前記背板接合部は、一方の前記金具半体のボルト孔の孔縁部に突設された止着部が、前記ボルト孔と合致する他方の前記金具半体のボルト孔に挿入されてカシメられることで双方のボルト孔の孔縁部同士が接合されて一対の金具半体の背板部同士が重合固定されていることを特徴とする請求項１〜３のいずれか１項に記載の木材接続金具。
【請求項５】
一対の前記金具半体は、夫々の前記背板部に前記ボルト孔が複数設けられていて、合致させる全てのボルト孔の孔縁部に前記背板接合部が設けられていることを特徴とする請求項１〜４のいずれか１項に記載の木材接続金具。
【請求項６】
一対の前記金具半体は、夫々の前記連結板部の少なくとも上部に、前記連結用木材の仕口部に設けられた掛止ピンを掛止可能な切欠部が設けられていることを特徴とする請求項１〜５のいずれか１項に記載の木材接続金具。
【請求項７】
一対の前記連結板部は、夫々に前記連結用木材の仕口部に設けられた掛止ピンを掛止可能な切欠部と、連結用木材の仕口部に設けられたピン通し孔から挿入されるドリフトピンを挿入可能なピン孔とが設けられていると共に、夫々の連結板部の切欠部の位置関係と夫々の連結板部のピン孔の位置関係とが平面視で長手方向中央線で互いに対称の位置関係となるように構成されていることを特徴とする請求項１〜６のいずれか１項に記載の木材接続金具。
【考案の詳細な説明】
【技術分野】
【０００１】
本考案は、例えば、柱などの建築用木材に対して、梁などの連結用木材を直角若しくは傾斜状態に接続するために使用する木材接続金具に関するものである。
【背景技術】
【０００２】
従来、この種の木材接続金具としては、例えば特開２００８−１６３５９１号（特許文献１）のように、板材が断面コ字状に折曲形成されて成る接続具本体（接続具）の遊離両端側が、梁などの連結用木材の端部に設けた仕口部に継合連結する連結板部として構成され、反対側の折り返し部分が、柱などの建築用木材の側面に当接する背板部として構成されていると共に、この背板部に建築用木材の側面より貫通突出する連結ボルトを挿通するボルト孔が上下方向に複数並設状態に設けられているものがある。
【先行技術文献】
【特許文献】
【０００３】
【特許文献１】特開２００８−１６３５９１号公報
【特許文献２】登録実用新案第３０４２９４５号公報
【考案の概要】
【考案が解決しようとする課題】
【０００４】
上記特許文献１のような木材接続金具は、連結用木材に非常に大きな荷重が加わると、局部座屈により背板部が変形して接続強度が損なわれることがあった。
【０００５】
この問題は、背板部の板厚を厚くして強度アップすることにより解決可能ではあるが、従来の木材接続金具は一枚の金属板材をコ字状に折曲して構成されているために、背板部の板厚を厚くすると連結板部の板厚も厚くなってしまい、そうするとこの連結板部を差込むスリットが連結用木材端部の仕口部に形成されるが、このスリットも幅広に形成しなければならなくなり、その結果連結用木材の欠損率が増加し強度低下を招いてしまうためにできなかった。
【０００６】
そこで、従来、登録実用新案第３０４２９４５号（特許文献２）が提案されている。
【０００７】
この特許文献２を簡単に説明すると、一対の対称な金具半体（フック材）からなり、この金具半体は、それぞれ鉄板材が直角に折り曲げられて背板部と連結板部とが形成され、前記背板部には、取付用のボルト孔が形成され、前記連結板部には、上向きのフックが形成されている仕口用接続金具であって、この特許文献２によれば、一対の金具半体は、背板部を重ね合わせて柱に固定することができ、連結板部の板厚を増すことなく、背板部の板厚を実質的に二倍として背板部の強度だけを大幅に向上できている。
【０００８】
しかしながら、この特許文献２は、一対の金具半体が分離自在な構成であるので、連結ボルトで背板部を柱材などに固定する際に背板部同士のボルト孔位置がずれ易く、施工性に難がある上、ボルト孔と連結ボルトにクリアランスがあるので現場での組立て精度が低くなり、さらには背板部同士が一体化されていないことから、重ね合わせた状態で柱材に取付けられてはいるものの大きな荷重が加わった際に背板部間に隙間が生じて二倍厚の強度を発揮できない場面があるのではないかとの懸念もあった。
【０００９】
本考案は、このような問題点に鑑み、これを解決しようとするもので、一対の断面Ｌ字状の金具半体の背板部同士を重合固定して断面コ字状の木材接続金具を構成することにより、連結板部の厚みを増すことなく、背板部の厚みだけを増して背板部の常時強度向上を実現できると共に、一対の金具半体が互いが分離せず、良好な施工性と金具精度を実現できる実用性に優れた木材接続金具を提案するものである。
【課題を解決するための手段】
【００１０】
添付図面を参照して本考案の要旨を説明する。
【００１１】
建築用木材１と、端部に仕口部３が設けられた連結用木材２とを直角若しくは傾斜状態に接続する木材接続金具Ａであって、一対の金具半体４から成り、この金具半体４は、金属板が折曲されて背板部５と連結板部６とが連設する断面Ｌ字状に形成されていると共に、夫々の金具半体４の背板部５に、前記建築用木材１に設けられたボルト挿通孔７に貫通させる連結ボルト８が挿通するボルト孔９が設けられ、このボルト孔９同士を少なくとも一箇所合致させて前記一対の金具半体４の前記背板部５同士を重合固定する背板接合部10が前記ボルト孔９の孔縁部に設けられていて、この重合固定状態の背板部５から一対の前記連結板部６が互いに対向し、突設する断面コ字状体に構成されていることを特徴とする木材接続金具に係るものである。
【００１２】
また、前記背板接合部10は、一方の前記金具半体４のボルト孔９の孔縁部に設けられた止着部11が、前記ボルト孔９と合致する他方の前記金具半体４のボルト孔９に止着されることで双方のボルト孔９の孔縁部同士が接合されて一対の金具半体４の背板部５同士が重合固定されていることを特徴とする請求項１記載の木材接続金具に係るものである。
【００１３】
また、前記背板接合部10は、一方の前記金具半体４のボルト孔９の孔縁部に突設された止着部11が、前記ボルト孔９と合致する他方の前記金具半体４のボルト孔９に挿入されて止着されることで双方のボルト孔９の孔縁部同士が接合されて一対の金具半体４の背板部５同士が重合固定されていることを特徴とする請求項１，２のいずれか１項に記載の木材接続金具に係るものである。
【００１４】
また、前記背板接合部10は、一方の前記金具半体４のボルト孔９の孔縁部に突設された止着部11が、前記ボルト孔９と合致する他方の前記金具半体４のボルト孔９に挿入されてカシメられることで双方のボルト孔９の孔縁部同士が接合されて一対の金具半体４の背板部５同士が重合固定されていることを特徴とする請求項１〜３のいずれか１項に記載の木材接続金具に係るものである。
【００１５】
また、一対の前記金具半体４は、夫々の前記背板部５に前記ボルト孔９が複数設けられていて、合致させる全てのボルト孔９の孔縁部に前記背板接合部10が設けられていることを特徴とする請求項１〜４のいずれか１項に記載の木材接続金具に係るものである。
【００１６】
また、一対の前記金具半体４は、夫々の前記連結板部６の少なくとも上部に、前記連結用木材２の仕口部３に設けられた掛止ピン12を掛止可能な切欠部13が設けられていることを特徴とする請求項１〜５のいずれか１項に記載の木材接続金具に係るものである。
【００１７】
また、一対の前記連結板部６は、夫々に前記連結用木材２の仕口部３に設けられた掛止ピン12を掛止可能な切欠部13と、連結用木材２の仕口部３に設けられたピン通し孔14から挿入されるドリフトピン15を挿入可能なピン孔16とが設けられていると共に、夫々の連結板部６の切欠部13の位置関係と夫々の連結板部６のピン孔16の位置関係とが平面視で長手方向中央線で互いに対称の位置関係となるように構成されていることを特徴とする請求項１〜６のいずれか１項に記載の木材接続金具に係るものである。
【考案の効果】
【００１８】
本考案は上述のように構成したから、一対の連結板部の板厚を増すことなく、背板部の強度だけを大幅に向上できると共に、背板部は常時二倍の板厚強度を発揮でき、これにより接続された連結用木材に大きな荷重が加わっても背板部が変形しにくく高い接続強度を発揮でき、しかも、一対の金具半体は、背板部同士が重合固定されているために建築用木材に対する良好な施工性を発揮できる上、一対の金具半体の夫々のボルト孔を合致させて接合させた寸法精度の高い断面コ字状体を容易に実現可能であるなど、極めて実用性に優れた木材接続金具となる。
【００１９】
また、請求項２〜４記載の考案においては、ボルト孔同士を合致させて一対の金具半体の背板部同士を重合固定する背板接合部を簡易に設計実現可能となる一層実用性に優れた構成の木材接続金具となる。
【００２０】
また、請求項５記載の考案においては、一対の金具半体の背板部同士が強固に重合固定されて背板部が確実に高強度を発揮する一層実用性に優れた構成の木材接続金具となる。
【００２１】
また、請求項６記載の考案においては、連結用木材を容易に掛止連結できる一層実用性に優れた構成の木材接続金具となる。
【００２２】
また、請求項７記載の考案においては、連結用木材を容易に掛止めてドリフトピンにより確固に連結できる一層実用性に優れた構成の木材接続金具となる。
【図面の簡単な説明】
【００２３】
【図１】実施例１を示す斜視図である。
【図２】実施例１を示す分解斜視図である。
【図３】実施例１の、一対の金具半体のボルト孔同士の接合手順を示す説明平断面図である。
【図４】実施例１の使用状態を示す平断面図である。
【図５】実施例１の使用状態を示す側断面図である。
【図６】実施例２を示す斜視図である。
【図７】実施例３を示す斜視図である。
【図８】実施例４を示す斜視図である。
【考案を実施するための形態】
【００２４】
好適と考える本考案の実施形態を、図面に基づいて本考案の作用を示して簡単に説明する。
【００２５】
本考案の木材接続金具Ａは、一対の金具半体４から成り、この金具半体４は、金属板が折曲されて背板部５と連結板部６とが連設する断面Ｌ字状に形成されていると共に、夫々の金具半体４の背板部５に、建築用木材１に設けられたボルト挿通孔７に貫通させる連結ボルト８が挿通するボルト孔９が設けられ、このボルト孔９同士を合致させて前記一対の金具半体４の前記背板部５同士を重合固定する背板接合部10が前記ボルト孔９の孔縁部に設けられていて、この重合固定状態の背板部５から一対の前記連結板部６が突設する断面コ字状体に構成されている。
【００２６】
即ち、一対の連結板部６は板厚を増すことなく、背板部５だけが実質的に二倍の板厚を有してこの背板部５の強度が大幅に向上した木材接続金具Ａに構成されている。
【００２７】
また、本考案の木材接続金具Ａは、工場などで一対の金具半体４の夫々のボルト孔９を合致させて接合させた寸法精度の高い断面コ字状体を容易に組立て可能であると共に、背板部５同士が重合固定されていることで、この背板部５は常時二倍の板厚強度を発揮できるものとなっている。
【００２８】
この木材接続金具Ａは、建築用木材１に設けられたボルト挿通孔７に貫通させる連結ボルト８が、背板部５のボルト孔９に挿通されてこの連結ボルト８により建築用木材１に取付けられるが、この際、一対の金具半体４は、背板部５同士がボルト孔９の孔縁部に設けられた背板接合部10によって重合固定されているので、上記特許文献２のように互いが位置ズレして連結ボルト８をボルト孔９に通しづらくなるような施工上の不都合は生じず、施工性が良い。
【００２９】
続いて、建築用木材１に取付けられた木材接続金具Ａの一対の連結板部６に、連結用木材２端部の仕口部３を連結すると、建築用木材１と連結用木材２とを木材接続金具Ａを介して直角若しくは傾斜状態に接続することができる。
【００３０】
接続後の連結用木材２に、例えば地震が発生するなどして非常に大きな荷重が加わると、常時二倍の板厚強度を発揮する背板部５は変形しにくく、従って連結用木材２の建築用木材１との接続強度が損なわれない。
【実施例１】
【００３１】
本考案の具体的な実施例１について図１〜図５に基づいて説明する。
【００３２】
本実施例は、建築用木材１と、端部に仕口部３が設けられた連結用木材２とを直角若しくは傾斜状態に接続する木材接続金具Ａであって、前記建築用木材１の周面部に当接状態に取付けする背板部５と、前記連結用木材２の仕口部３のスリット17に挿入して連結する連結板部６を具備している。
【００３３】
具体的には、本実施例の木材接続金具Ａは、一対の金具半体４から成り、この金具半体４は、図１，図２に示すように、金属板がプレス加工により直角に折曲されて背板部５と連結板部６とが前後に連設する平断面Ｌ字状体に形成されている。
【００３４】
また、この一対の金具半体４は、夫々の背板部５には、前記建築用木材１に設けられたボルト挿通孔７に貫通させる連結ボルト８を挿通するボルト孔９が、上下方向に間隔を置いた複数箇所（図面は三箇所）に並設状態に設けられており、夫々の連結板部６には、上部と下部とに、前記連結用木材２の仕口部３に予め設けられた掛止ピン12を掛止可能な切欠部13が設けられていると共に、この上下の切欠部13間の複数箇所（図面は四箇所）に、仕口部３に設けられたピン通し孔14から打込み挿入されるドリフトピン15を挿入可能なピン孔16が設けられている。
【００３５】
また、この一対の金具半体４は、夫々の前記ボルト孔９同士を合致させて前記背板部５同士を前後に重ね合せた際に、夫々の連結板部６の先端（前端）の位置関係が左右対称の位置関係となるように、一方（背板部５が後側に重ねられる方）の金具半体４の連結板部６の前方への突出長が、他方の金具半体４の連結板部６の前方への突出長より若干長く形成されていると共に、夫々の連結板部６の切欠部13の位置関係と夫々の連結板部６のピン孔16の位置関係とが平面視で長手方向中央線で互いに対称の位置関係となるように構成されている。
【００３６】
また、前記ボルト孔９は、前記背板部５に等間隔を置いた三箇所に設けられているが、この三箇所のボルト孔９は、全体的に背板部５の上側寄りに設けられていて、木材接合金具Ａの上下を１８０度反転させることにより、ボルト孔９の位置を二段階に変更可能に構成されている（このような使い方が可能となるように、連結板部６の下部にも前記切欠部13が設けられている。）。
【００３７】
また、この一対の金具半体４は、夫々のボルト孔９同士を合致させて前記背板部５同士を重合固定する背板接合部10がボルト孔９の孔縁部に設けられていて、この重合固定状態の背板部５から一対の前記連結板部６が突設する平断面コ字状体に構成されている（図１参照）。
【００３８】
また、本実施例の背板接合部10は、一方の前記金具半体４のボルト孔９の孔縁部に突設された止着部11が、このボルト孔９と合致する他方の前記金具半体４のボルト孔９に挿入されて止着されることで双方のボルト孔９の孔縁部同士が接合されて一対の金具半体４の背板部５同士が重合固定された構成とされている。
【００３９】
具体的には、背板接合部10は、一方の金具半体４のボルト孔９にバーリング加工が施されて、このボルト孔９の孔縁部が前方に向かって円筒状に突出する形状に形成され、この円筒状突出孔縁部が前記止着部11として構成され（図２参照）、この止着部11を他方の前記金具半体４のボルト孔９に挿入して双方の背板部５同士を重ね合わせた上で、止着部11の挿入先端（前端）をプレス潰し加工することにより、合致させたボルト孔９の孔縁部同士がカシメられた（接合された）構成とされている（図３参照）。
【００４０】
尚、この背板接合部10は、本実施例で採用したカシメ接合に限らず、ボルト孔９の孔縁部同士が接着剤を用いて接着接合されても良いし、溶接により接合されても良いし、他の接合方法により接合されていても良いが、どのような接合方法を採用した場合であっても、一対の金具半体４のボルト孔９同士を合致させて寸法精度の高い平断面コ字状体に容易に組立て可能である。
【００４１】
また、本実施例の背板接合部10は、合致させた三箇所のボルト孔９の全ての孔縁部に設けられているが、いずれか一箇所のボルト孔９の孔縁部だけに背板接合部10が設けられていても良いし、全てではない複数箇所のボルト孔９の孔縁部に背板接合部10が設けられていても良い。
【００４２】
従って、このように構成した本実施例によれば、一対の連結板部６の板厚を増すことなく、背板部５だけが実質的に二倍の板厚を有してこの背板部５の強度および剛性を大幅に向上することができた。
【００４３】
次に、本実施例で使用する建築用木材１と連結用木材２を説明する。
【００４４】
建築用木材１は、連結ボルト８を貫通させるボルト挿通孔７が、この建築用木材１の対向周面（側面）間を貫通させて上下三箇所に形成されている。
【００４５】
連結用木材２は、端部に前記仕口部３が形成されている。この仕口部３を更に詳しく説明すると、連結用木材２の端部の二箇所にホゾ取り機などによって縦長のスリット17が形成されて、この二本のスリット17に一対の前記連結板部６を嵌入可能に構成されていると共に、側方からこの連結用木材２端部を横方向に貫通するピン通し孔14が複数貫通形成され、このうち上部のピン通し孔14には、予め掛止ピン12が挿通固定されている。
【００４６】
次に、本実施例の木材接合金具Ａを使用した建築用木材１と連結用木材２との接続方法を、図４，図５を用いて説明する。尚、図４，図５は、建築用木材１が柱材（縦材）であって、連結用木材２が梁材（横材）である場合を示している。
【００４７】
先ず、建築用木材１の各ボルト挿通孔７に連結ボルト８を貫通させ、この建築用木材１の周面の一側面に連結ボルト８の先端を突出させる。
【００４８】
この建築用木材１の周面から突出している連結ボルト８の先端を、木材接合金具Ａの背板部５に設けられているボルト孔９に挿通させ、この連結ボルト８先端に座金18を介してナット19を螺着し締付することで、木材接合金具Ａをその背板部５を建築用木材１周面（側面）に当接させて固定する。
【００４９】
この際、一対の金具半体４は、背板部５同士がボルト孔９の孔縁部に設けられた背板接合部10によって重合固定されているので、上記特許文献２のように互いに位置ズレして連結ボルト８をボルト孔９に通しづらくなるような施工上の不都合は生じない。
【００５０】
続いて、建築用木材１の周面から側方へ突出している一対の連結板部６の上部の切欠部13に、連結用木材２の仕口部３の掛止ピン12を上方から掛止連結しつつ一対の連結板部６を仕口部３の二箇所のスリット17に嵌入し、更にこの仕口部３側方のピン通し孔14からドリフトピン15を打ち込み挿入してピン孔16に挿通係止することで連結板部６に仕口部３を連結すると、建築用木材１と連結用木材２とが木材接続金具Ａを介して直角若しくは傾斜状（図面は直角）に接続される。
【００５１】
接続後に例えば地震などによる非常に大きな荷重が連結用木材２に加わると、二倍の板厚強度を誇る背板部５は変形しにくく、接続強度が損なわれにくい。
【００５２】
以下、本実施例の木材接続金具Ａを更に詳細に説明する。
【００５３】
本実施例の木材接続金具Ａは、板厚２,３ｍｍの金属板を用いて構成されており、全高が約２０５ｍｍ、前後幅（背板部５から連結板部６先端部までの長さ幅）が約７３ｍｍ、左右幅が約４０ｍｍに設定されている。
【実施例２】
【００５４】
本考案の具体的な実施例２について図６に基づいて説明する。
【００５５】
本実施例は、前記実施例１より全高が高く設計されている場合である。即ち、前記実施例１で用いられている連結用木材２より梁せいが高い連結用木材２の接続使用に適するように構成されている。
【００５６】
具体的には、本実施例の木材接続金具Ａは、全高が約２７５ｍｍに設定されている。
【００５７】
また、詳しく図示していないが、本実施例は、前記ボルト孔９が前記背板部５の上下方向に間隔を置いた四箇所に設けられている場合を示している。
【００５８】
他の構成は、前記実施例１と同様である。
【実施例３】
【００５９】
本考案の具体的な実施例３について図７に基づいて説明する。
【００６０】
本実施例は、前記実施例１より全高が低く設計されている場合である。即ち、前記実施例１で用いられている連結用木材２より梁せいが低い連結用木材２の接続使用に適するように構成されている。
【００６１】
具体的には、本実施例の木材接続金具Ａは、全高が約１３５ｍｍに設定されている。
【００６２】
また、詳しく図示していないが、本実施例は、前記ボルト孔９が前記背板部５の上下方向に間隔を置いた二箇所に設けられている場合を示している。
【００６３】
他の構成は、前記実施例１と同様である。
【実施例４】
【００６４】
本考案の具体的な実施例４について図８に基づいて説明する。
【００６５】
本実施例は、前記実施例３よりさらに全高が低く設計されている場合である。
【００６６】
具体的には、本実施例の木材接続金具Ａは、全高が約９６ｍｍに設定されている。
【００６７】
また、本実施例は、連結板部６の上部にだけ前記切欠部13が設けられていると共に、この切欠部13の下方の一箇所にだけ前記ピン孔16が設けられている場合を示している。即ち、本実施例は、木材接合金具Ａを上下１８０度反転させての使用は想定されていない。
【００６８】
また、本実施例は、背板部５の上下端部に、後方に向かって突出する突片20が設けられている。
【００６９】
具体的には、詳しく図示していないが、他方（背板部５が前側に重ねられる方）の金具半体４の背板部５の上下端部に突片20が一体的に設けられ、この突片20が、一方の金具半体４の背板部５の上下端部に設けられた凹部21を介して後方へ折曲されることにより、一方の金具半体４の背板部５より後方へ突出状態に設けられている。
【００７０】
従って、この突片20を有する本実施例によれば、突片20が建築用木材１の周面に突き刺さって（喰い込み係止して）強固な位置決め状態で建築用木材１の周面に固定でき、また、たとえ一本の連結ボルト８だけで固定する場合においても、連結ボルト８を軸に木材接続金具Ａが建築用木材１に対し回り動いてしまうことが防止されることになる。
【００７１】
他の構成は、前記実施例１と同様である。
【００７２】
尚、本考案は、実施例１〜４に限られるものではなく、各構成要件の具体的構成は適宜設計し得るものである。
【符号の説明】
【００７３】
１  建築用木材
２  連結用木材
３  仕口部
４  金具半体
５  背板部
６  連結板部
７  ボルト挿通孔
８  連結ボルト
９  ボルト孔
10  背板接合部
11  止着部
12  掛止ピン
13  切欠部
14  ピン通し孔
15  ドリフトピン
16  ピン孔
Ａ  木材接続金具
【図１】
0003214818.tif 000003
【図２】
0003214818.tif 000004
【図３】
0003214818.tif 000005
【図４】
0003214818.tif 000006
【図５】
0003214818.tif 000007
【図６】
0003214818.tif 000008
【図７】
0003214818.tif 000009
【図８】
0003214818.tif 000010